(57)【要約】      （修正有）【課題】導電端子の堅固性と安定性を向上し、永久変形を減少させる高解析度マルチメディアインターフェースコネクターを提供する。【解決手段】第一絶縁本体２１、第一絶縁本体２１と嵌合する第二絶縁本体２２、複数の第一導電端子３１、複数の第二導電端子３２、絶縁ハウジング２３を備える。各第一導電端子３１には、第一連接部３１１、第一挿入接続部３１２を設置し、各第二導電端子３２には、第二連接部３２１、第二挿入接続部３２２を設置する。絶縁ハウジング２３一端には、収容設置空間を設置し、反対端には収容設置空間と連通する挿入接続口２４０を設置し、第一絶縁本体２１と第二絶縁本体２２とは、収容設置空間中に収容して固定され、第一挿入接続部３１２と第二挿入接続部３２２は、同一方向に向かい、挿入接続口２４０へと延伸する。【選択図】図６
0003160343.tif 000002
【実用新案登録請求の範囲】
【請求項１】
第一絶縁本体、第二絶縁本体、複数の第一導電端子、複数の第二導電端子、絶縁ハウジングを備え、
前記第二絶縁本体は、前記第一絶縁本体と嵌合し、
前記各第一導電端子には、第一連接部、第一挿入接続部を設置し、前記第一連接部は、前記第一絶縁本体中に一体成型し、
前記各第二導電端子には、第二連接部、第二挿入接続部を設置し、前記第二連接部は、前記第二絶縁本体中に一体成型し、
前記絶縁ハウジング一端には、収容設置空間を設置し、反対端には、前記収容設置空間と連通する挿入接続口を設置し、前記第一絶縁本体と前記第二絶縁本体とは、前記収容設置空間中に収容して固定され、前記第一導電端子の第一挿入接続部と前記第二導電端子の第二挿入接続部は、同一方向に向かい、前記挿入接続口へと延伸することを特徴とする高解析度マルチメディアインターフェースコネクター。
【請求項２】
前記第一絶縁本体の底面には、内部へと窪んで、定位孔を設置し、
前記第二絶縁本体の頂点面には、上方へと突出し、前記定位孔と相互に対応する定位柱を設置し、
前記定位柱と前記定位孔とは、相互に嵌合することを特徴とする請求項１に記載の高解析度マルチメディアインターフェースコネクター。
【請求項３】
前記絶縁ハウジングの頂点部内表面及び底部内表面には共に、前記挿入接続口と貫通した端子収容設置槽を設置し、
前記第一導電端子の第一挿入接続部は、頂点部内表面の端子収容設置槽柱に収容設置され、
前記第二導電端子の第二挿入接続部は、底部内表面の端子収容設置槽柱に収容設置されることを特徴とする請求項１に記載の高解析度マルチメディアインターフェースコネクター。
【請求項４】
前記絶縁ハウジングの収容設置空間と挿入接続口との間には、固定本体を設置し、
前記固定本体は、前記絶縁ハウジングの頂点部と底部に連接し、前記頂点部内表面の端子収容設置槽と一つ一つ対応する第一端子導入孔、及び前記底部内表面の端子収容設置槽と一つ一つ対応する第二端子導入孔を貫通状に設置し、
前記第一導電端子は、前記第一端子導入孔を通過し、前記第二導電端子は、前記第二端子導入孔を通過することを特徴とする請求項３に記載の高解析度マルチメディアインターフェースコネクター。
【請求項５】
前記絶縁ハウジングの頂点部内表面、及び底部内表面は、前記挿入接続口一端にさらに、前記端子収容設置槽と一つ一つ対応する接触停止部を設置し、
前記接触停止部には、前記第一挿入接続部及び前記第二挿入接続部と相互に接触して圧迫し合う停止面を設置することを特徴とする請求項４に記載の高解析度マルチメディアインターフェースコネクター。
【請求項６】
前記絶縁ハウジングの相対する両側部は、前記収容設置空間に正対応して導入槽を設置し、
前記第一絶縁本体の相対する両側壁には、前記導入槽と相互に嵌合する導入ブロックを設置することを特徴とする請求項１に記載の高解析度マルチメディアインターフェースコネクター。
【請求項７】
前記高解析度マルチメディアインターフェースコネクターはさらに、金属カバー体を備え、
前記金属カバー体は、前記絶縁本体上に被せて設置することを特徴とする請求項１に記載の高解析度マルチメディアインターフェースコネクター。
【請求項８】
前記金属カバー体は、金属頂点カバー体と金属底カバー体を備え、
前記金属頂点カバー体の相対する両側面には、定位槽を設置し、
前記金属底カバー体の相対する両側面には、前記定位槽と相互に嵌合する定位ブロックを設置することを特徴とする請求項７に記載の高解析度マルチメディアインターフェースコネクター。
【請求項９】
前記金属頂点カバー体の頂点面の中央に近い位置には、接触停止ブロックを設置し、
前記第一絶縁本体の頂点面には、前記接触停止ブロックと相互に接触して圧迫し合う突出ブロックを設置することを特徴とする請求項８に記載の高解析度マルチメディアインターフェースコネクター。
【考案の詳細な説明】
【技術分野】
【０００１】
本考案はコネクターに関し、特に高解析度マルチメディアインターフェースコネクターに関する。
【背景技術】
【０００２】
HDMI(High Definition Multimedia Interface)は、高解析度マルチメディアインターフェースである。HDMIインターフェースは、5Gbpsに達する伝送帯域幅を提供でき、無圧縮のオーディオ信号と高精細度ビジュアル信号を、伝送することができる。同時に、信号の伝送前にアナログ/デジタル転換、或いはデジタル/アナログ転換を行わなくても、最高品質のオーディオビジュアル信号を伝送することができる。
【０００３】
オーディオビジュアル信号の伝送時には、１本のHDMI線により、オーディオビジュアル信号を同時に伝送し、数本の伝送線を連接しなければならない従来の方式とは異なる。
アナログ/デジタル転換、或いはデジタル/アナログ転換を行う時にも、より高品質のオーディオ及びビジュアル信号を伝送することができる。つまり、HDMI技術は、消費者に高い解析度の画質を提供でき、さらにオーディオ及びビジュアル信号に同一のケーブルを使用することができるため、ホームシアターの設置を大幅に簡略化することができる。
【０００４】
高品質のオーディオビジュアル信号伝送線に対応するため、今では、多くのオーディオビジュアル電気製品には、１組のHDMIコネクターが増設されており、これにより使用者は、HDMI伝送線を連接して使用することができる。従来のHDMIコネクターは通常は、絶縁本体、絶縁台体、金属カバー体、導電端子により構成する。導電端子と絶縁本体、絶縁台体とを接続後、さらに絶縁本体及び絶縁台体を、金属カバー体内部に接続する。
【０００５】
一般に、絶縁本体は、本体部と搭載部を備える。絶縁本体は、搭載部の頂点面と底面に、端子収容槽を設置する。導電端子は、搭載部の頂点面或いは底面の端子収容槽に、それぞれ収容され、固定される。現在市販されているHDMIコネクターの導電端子は、一般的には国際標準を採用しており、１９個の導電端子を備える。第一端子ユニット(導電端子１０個など)を搭載部頂点面の端子収容槽中に正確に収容し、及び第二端子ユニット(導電端子９個など)を搭載部頂点面の端子収容槽中に正確に収容するため、プラスチック注入成型の過程においては、第一端子ユニット、絶縁本体、第二端子ユニットの相互の位置を、厳格に制御しなければならない。そのため、加工プロセスは複雑で、難度が非常に高い。しかも、加工プロセスの制御がうまくいかなかったことで、導電端子の収容位置が偏る状況がしばしば発生しており、これが導電端子の堅固性と安定性に悪影響を及ぼしている。これにより、導電端子は変形し易くなり、信号の安定性を最良にまで高めることは難しい。本考案は、従来の高解析度マルチメディアインターフェースコネクターの上記した欠点に鑑みてなされたものである。
【考案の概要】
【考案が解決しようとする課題】
【０００６】
本考案が解決しようとする課題は、製品の組み立てプロセスを簡略化でき、導電端子の堅固性と安定性を向上させられ、導電端子の永久変形を減少させる効果を達成することができる高解析度マルチメディアインターフェースコネクターを提供することである。
【課題を解決するための手段】
【０００７】
上記課題を解決するため、本考案は下記の高解析度マルチメディアインターフェースコネクターを提供する。
高解析度マルチメディアインターフェースコネクターは、第一絶縁本体、該第一絶縁本体と嵌合する第二絶縁本体、複数の第一導電端子、複数の第二導電端子、絶縁ハウジングを備え、
該各第一導電端子には第一連接部、第一挿入接続部を設置し、該第一連接部は該第一絶縁本体中に一体成型し、
該各第二導電端子には第二連接部、第二挿入接続部を設置し、該第二連接部は該第二絶縁本体中に一体成型し、
該絶縁ハウジング一端には収容設置空間を設置し、反対端には該収容設置空間と連通する挿入接続口を設置し、該第一絶縁本体と該第二絶縁本体とは、該収容設置空間中に収容して固定され、
該第一導電端子の第一挿入接続部と該第二導電端子の第二挿入接続部とは、同一方向に向かい、挿入接続口へと延伸する。
【考案の効果】
【０００８】
本考案高解析度マルチメディアインターフェースコネクターは、第一絶縁本体及び第二絶縁本体を、それぞれ導電端子と一体成型することで、従来の技術におけるプラスチック注入成型工程の難度を低下させることができ、製品の組み立て工程を簡略化させられ、導電端子の堅固性と安定性を向上させることができ、導電端子の永久変形を減少させる効果を達成することができる。
【図面の簡単な説明】
【０００９】
【図１】本考案高解析度マルチメディアインターフェースコネクターの一実施例の立体図である。
【図２】図１に示す高解析度マルチメディアインターフェースコネクターの別の角度からの立体図である。
【図３】図２に示す高解析度マルチメディアインターフェースコネクターの立体分解図である。
【図４】図１に示す高解析度マルチメディアインターフェースコネクターにおいて、A1-A1線位置での断面図である。
【図５】本考案高解析度マルチメディアインターフェースコネクターの金属カバー体を未設置時の立体図である。
【図６】図５に示す高解析度マルチメディアインターフェースコネクターの立体分解図である。
【図７】図５に示す高解析度マルチメディアインターフェースコネクターの別の角度からの立体分解図である。
【図８】本考案高解析度マルチメディアインターフェースコネクターの第一絶縁本体と第二絶縁本体とを組み立て前の立体図である。
【図９】本考案高解析度マルチメディアインターフェースコネクターの第一絶縁本体と第二絶縁本体とを組み立て後の立体図である。
【図１０】図５に示す高解析度マルチメディアインターフェースコネクターにおいて、A-A線で断面後の俯瞰図である。
【図１１】図５に示す高解析度マルチメディアインターフェースコネクターにおいて、A-A線で断面後の上視図である。
【図１２】図５に示す高解析度マルチメディアインターフェースコネクターにおいて、B-B線位置での断面図である。
【考案を実施するための形態】
【００１０】
以下に図面を参照しながら本考案を実施するための最良の形態について詳細に説明する。
【実施例】
【００１１】
図１、２に示すように、本考案高解析度マルチメディアインターフェースコネクター１００は、絶縁本体２０、複数の導電端子３０、金属カバー体４０を備える。
【００１２】
図５、６、７に示すように、絶縁本体２０は、第一絶縁本体２１、第二絶縁本体２２、絶縁ハウジング２３を備える。導電端子３０は、第一導電端子３１、第二導電端子３２を備える。各第一導電端子３１には、第一連接部３１１、第一挿入接続部３１２を設置する。第一連接部３１１は、第一絶縁本体２１中に一体成型する。各第二導電端子３２には、第二連接部３２１、第二挿入接続部３２２を設置する。第二連接部３２１は、第二絶縁本体２２中に一体成型する。
【００１３】
図６、７に示すように、第一絶縁本体２１は、第一本体部２１１、及び第一本体部２１１より前方へと突出する第一搭載部２１３を備える。第一搭載部２１３には、複数の第一端子収容槽２１４を設置する。第一本体部２１１には、第一端子収容層２１４と一つ一つ対応する第一端子穿孔２１２を貫通状に設置する。各第一導電端子３１は、第一本体部２１１の第一端子穿孔２１２に対応して貫通し、これにより第一連接部３１１は、第一搭載部２１３の第一端子収容槽２１４中に収容されて固定される。同様に、第二絶縁本体２２は、第二本体部２２１、及び第二本体部２２１より前方へと突出する第二搭載部２２３を備える。第二搭載部２２３には、複数の第二端子収容槽２２４を設置する。第二本体部２２１には、第二端子収容層２２４と一つ一つ対応する第二端子穿孔２２２を設置する。各第二導電端子３２は、第二本体部２２１の第二端子穿孔２２２に対応して貫通し、これにより第二連接部３２１は、第二搭載部２２３の第二端子収容槽２２４中に収容されて固定される。
【００１４】
図８、９に示すように、第一絶縁本体２１の第一絶縁本体底面２１６は、内部へと窪んで定位孔２１７を設置する。第二絶縁本体２２の第二絶縁本体頂点面２２５は、上方へと突出した、第一絶縁本体底面２１６の定位孔２１７と嵌って対応する定位柱２２７を設置する。定位柱２２７と定位孔２１７との嵌合を通して、第一絶縁本体２１と第二絶縁本体２２とは一体に組み合わされる。第一絶縁本体２１と第一導電端子３１とをプラスチック注入成型し、第二絶縁本体２２と第二導電端子３２とをプラスチック注入成型した後には、第一絶縁本体２１は、その定位孔２１７と第二絶縁本体２２の定位柱２２７を通して、相互に嵌合し一体に組合される。
【００１５】
図５、６、７に示すように、絶縁ハウジング２３は、矩形のフレーム体状を呈し、相対する頂点部２３１、底部２３２、及び相対する両側部２３３により取り囲まれる。絶縁ハウジング２３の前後端は開口で、後端には、収容設置空間２３０を設置し、前端には、収容設置空間２３０と連通する挿入接続口２４０を設置する。第一絶縁本体２１と第二絶縁本体２２とは、収容設置空間２３０中に収容して固定し、しかも第一導電端子３１の第一挿入接続部３１２と第二導電端子３２の第二挿入接続部３２２とは、同一方向へと挿入接続口２４０まで延伸する。絶縁ハウジング２３の相対する両側部２３３は、収容設置空間２３０に正対応して導入槽２３９を設置する。第一絶縁本体２１の相対する両側壁には、導入槽２３９と相互に嵌合する導入ブロック２１９を設置する。絶縁ハウジング２３は、導入槽２３９と第一絶縁本体２１の導入ブロック２１９との嵌合を通して、第一絶縁本体２１と第二絶縁本体２２とを、収容設置空間２３０内に堅固に収容する。
【００１６】
図１０、１１、１２に示すように、絶縁ハウジング２３の前端は、頂点部２３１内表面及び底部２３２内表面に共に、挿入接続口２４０と貫通する端子収容設置槽２３４を設置する。絶縁ハウジング２３の収容設置空間２３０と挿入接続口２４０との間には、固定本体２３５を設置する。固定本体２３５は、絶縁ハウジング２３の頂点部２３１と底部２３２に連接し、頂点部２３１内表面の端子収容設置槽２３４と一つ一つ対応する第一端子導入孔２３６a、及び底部２３２内表面の端子収容設置槽２３４と一つ一つ対応する第二端子導入孔２３６bを貫通状に設置する。絶縁ハウジング２３の前端は、頂点部２３１内表面、及び底部２３２内表面にさらに、端子収容設置槽２３４と一つ一つ対応する接触停止部２３７を設置する。各第一導電端子３１は、絶縁ハウジング２３後端の固定本体２３５の第一端子導入孔２３６aに対応して通過する。これにより、第一挿入接続部３１２は、絶縁ハウジング２３の頂点部２３１内表面の端子収容設置槽２３４まで延伸した後、第一挿入接続部３１２の前端は、頂点部２３１内表面の接触停止部２３７に入り圧迫される。同様の原理で、各第二導電端子３２は、絶縁ハウジング２３後端の固定本体２３５の第二端子導入孔２３６bに対応して通過すると、第二挿入接続３２２は、絶縁ハウジング２３の底部２３２内表面の端子収容設置槽２３４まで延伸した後、第二挿入接続部３２２の前端は、底部２３２内表面の接触停止部２３７に入り圧迫される。すなわち、端子収容設置槽２３４の深さは、導電端子３０の所定の高さを形成し、こうして各第一挿入接続部３１２或いは各第二挿入接続３２２と頂点部２３１内表面或いは底部２３２内表面の高さの差は、等しくなり、つまりこれが所定の高さである。こうして、これに対応して導電端子３０のトルクアームは増長し、導電端子３０の永久変形を減少させる効果を達成することができる。
【００１７】
図１、２、３、４に示すように、金属カバー体４０は、金属頂点カバー体４１、金属底カバー体４２を備える。金属頂点カバー体４１は、挿入接続開口４１６を設置する。金属底カバー体４２は、軟性出力口４２６を設置する。金属頂点カバー体４１の金属頂点カバー体両側面４２３には、定位槽４１４を設置する。金属底カバー体４２の金属底カバー体両側面４２３には、定位槽４１４と相互に嵌合する定位ブロック４２４を設置し、定位ブロック４２４を通して、金属頂点カバー体４１と組合せる。金属頂点カバー体４１の金属頂点カバー体頂点面４１１の中央に近い位置には、接触停止ブロック４１８を設置し、第一絶縁本体２１の第一絶縁本体頂点面２１５には、接触停止ブロック４１８と相互に接触し圧迫し合う突出ブロック２１８を設置する。金属カバー体４０は、接触停止ブロック４１８を通して、絶縁本体２０上に嵌めて設置する。こうして、金属頂点カバー体４１の挿入接続開口４１６は、絶縁ハウジング２３の挿入接続口にちょうど嵌めて設置され、外部と対応して接続することができる。同時に、金属底カバー体４２の軟性出力口４２６は、絶縁本体２０に接近し、導電端子３０の第一搭載部２１３(或いは、第二搭載部２２３)を収容して固定する。こうして、外部の線材は、軟性出力口４２６と導電端子３０の第一連接部３１１或いは第二連接部３２１を通して溶接を行われる。金属頂点カバー体４１の金属頂点カバー体底面４１２上には、複数の弾力片４１５を設置する。弾力片４１５が生じる弾力により、絶縁ハウジング２３は、さらにスムーズに金属頂点カバー体４１に挿入される。
【００１８】
上記したように、本考案高解析度マルチメディアインターフェースコネクター１００は、第一絶縁本体２１と第二絶縁本体２２がそれぞれ固定導電端子３０を収容して固定するため、従来の技術におけるプラスチック注入成型工程における難度を低下させることができ、製品の組み立て工程を簡略化することができ、導電端子の堅固性と安定性を向上させることができ、導電端子の永久変形を減少させる効果を達成することができる。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案の要件である新規性を備え、従来の同類製品に比べ十分な進歩を有し、実用性が高く、社会のニーズに合致しており、産業上の利用価値は非常に大きい。
【符号の説明】
【００２１】
１００  高解析度マルチメディアインターフェースコネクター
２０  絶縁本体
２１  第一絶縁本体
２１１  第一本体部
２１２  第一端子穿孔
２１３  第一搭載部
２１４  第一端子収容槽
２１５  第一絶縁本体頂点面
２１６  第一絶縁本体底面
２１７  定位孔
２１８  突出ブロック
２１９  導入ブロック
２２  第二絶縁本体
２２１  第二本体部
２２２  第二端子穿孔
２２３  第二搭載部
２２４  第二端子収容槽
２２５  第二絶縁本体頂点面
２２７  定位柱
２３  絶縁ハウジング
２３０  収容設置空間
２３１  頂点部
２３４  端子収容設置槽
２３５  固定本体
２３６a  第一端子導入孔
２３６b  第二端子導入孔
２３７  接触停止部
２３９  導入槽
２４０  挿入接続口
３０  導電端子
３１  第一導電端子
３１１  第一連接部
３１２  第一挿入接続部
３２  第二導電端子
３２１  第二連接部
３２２  第二挿入接続部
４０  金属カバー体
４１  金属頂点カバー体
４２  金属底カバー体
４１１  金属頂点カバー体頂点面
４１２  金属頂点カバー体底面
４１３  金属頂点カバー体両側面
４１４  定位槽
４１５  弾力片
４１６  挿入接続開口
４１８  接触停止ブロック
４２３  金属底カバー体両側面
４２４  定位ブロック
４２６  軟性出力口
【図１】
0003160343.tif 000003
【図２】
0003160343.tif 000004
【図３】
0003160343.tif 000005
【図４】
0003160343.tif 000006
【図５】
0003160343.tif 000007
【図６】
0003160343.tif 000008
【図７】
0003160343.tif 000009
【図８】
0003160343.tif 000010
【図９】
0003160343.tif 000011
【図１０】
0003160343.tif 000012
【図１１】
0003160343.tif 000013
【図１２】
0003160343.tif 000014
【手続補正書】
【提出日】平成22年4月9日(2010.4.9)
【手続補正１】
【補正対象書類名】実用新案登録請求の範囲
【補正対象項目名】全文
【補正方法】変更
【補正の内容】
【実用新案登録請求の範囲】
【請求項１】
第一絶縁本体、第二絶縁本体、複数の第一導電端子、複数の第二導電端子、絶縁ハウジングを備え、
前記第二絶縁本体は、前記第一絶縁本体と嵌合し、
前記各第一導電端子には、第一連接部、第一挿入接続部を設置し、前記第一連接部は、前記第一絶縁本体中に一体成型し、
前記各第二導電端子には、第二連接部、第二挿入接続部を設置し、前記第二連接部は、前記第二絶縁本体中に一体成型し、
前記絶縁ハウジング一端には、収容設置空間を設置し、反対端には、前記収容設置空間と連通する挿入接続口を設置し、前記第一絶縁本体と前記第二絶縁本体とは、前記収容設置空間中に収容して固定され、前記第一導電端子の第一挿入接続部と前記第二導電端子の第二挿入接続部は、同一方向に向かい、前記挿入接続口へと延伸することを特徴とする高解析度マルチメディアインターフェースコネクター。
【請求項２】
前記第一絶縁本体の底面には、内部へと窪んで、定位孔を設置し、
前記第二絶縁本体の頂点面には、上方へと突出し、前記定位孔と相互に対応する定位柱を設置し、
前記定位柱と前記定位孔とは、相互に嵌合することを特徴とする請求項１に記載の高解析度マルチメディアインターフェースコネクター。
【請求項３】
前記絶縁ハウジングの頂点部内表面及び底部内表面には共に、前記挿入接続口と貫通した端子収容設置槽を設置し、
前記第一導電端子の第一挿入接続部は、頂点部内表面の端子収容設置槽柱に収容設置され、
前記第二導電端子の第二挿入接続部は、底部内表面の端子収容設置槽柱に収容設置されることを特徴とする請求項１に記載の高解析度マルチメディアインターフェースコネクター。
【請求項４】
前記絶縁ハウジングの収容設置空間と挿入接続口との間には、固定本体を設置し、
前記固定本体は、前記絶縁ハウジングの頂点部と底部に連接し、前記頂点部内表面の端子収容設置槽と一つ一つ対応する第一端子導入孔、及び前記底部内表面の端子収容設置槽と一つ一つ対応する第二端子導入孔を貫通状に設置し、
前記第一導電端子は、前記第一端子導入孔を通過し、前記第二導電端子は、前記第二端子導入孔を通過することを特徴とする請求項３に記載の高解析度マルチメディアインターフェースコネクター。
【請求項５】
前記絶縁ハウジングの頂点部内表面、及び底部内表面は、前記挿入接続口一端にさらに、前記端子収容設置槽と一つ一つ対応する接触停止部を設置し、
前記接触停止部には、前記第一挿入接続部及び前記第二挿入接続部と相互に接触して圧迫し合う停止面を設置することを特徴とする請求項４に記載の高解析度マルチメディアインターフェースコネクター。
【請求項６】
前記絶縁ハウジングの相対する両側部は、前記収容設置空間に正対応して導入槽を設置し、
前記第一絶縁本体の相対する両側壁には、前記導入槽と相互に嵌合する導入ブロックを設置することを特徴とする請求項１に記載の高解析度マルチメディアインターフェースコネクター。
【請求項７】
前記高解析度マルチメディアインターフェースコネクターはさらに、金属カバー体を備え、
前記金属カバー体は、前記第一絶縁本体、前記第二絶縁本体及び前記絶縁ハウジング上に被せて設置することを特徴とする請求項１に記載の高解析度マルチメディアインターフェースコネクター。
【請求項８】
前記金属カバー体は、金属頂点カバー体と金属底カバー体を備え、
前記金属頂点カバー体の相対する両側面には、定位槽を設置し、
前記金属底カバー体の相対する両側面には、前記定位槽と相互に嵌合する定位ブロックを設置することを特徴とする請求項７に記載の高解析度マルチメディアインターフェースコネクター。
【請求項９】
前記金属頂点カバー体の頂点面の中央に近い位置には、接触停止ブロックを設置し、
前記第一絶縁本体の頂点面には、前記接触停止ブロックと相互に接触して圧迫し合う突出ブロックを設置することを特徴とする請求項８に記載の高解析度マルチメディアインターフェースコネクター。